(57)【特許請求の範囲】
【請求項１】
裏面に粘着部を有し当該粘着部に剥離紙を貼り付けたテープの表面に、所定の文字や記号等を印字する、下記の要件を備えたことを特徴とするテープ印字装置。
（イ）印字すべき文字や記号等の印字データを入力する入力手段を有すること。
（ロ）前記入力手段から入力された印字データをブロック毎に、ブロックを示す番号に対応させて記憶する記憶手段を有すること。
（ハ）前記記憶手段に記憶された複数のブロックの内から、前記ブロック番号の指定により複数のブロックを選択する選択手段を有すること。
（ニ）前記選択手段によって選択された複数のブロックの範囲内のブロックと対応する印字データを前記記憶手段から読み取る読取手段を有すること。
（ホ）前記読取手段により読み取られた前記複数のブロックの範囲内のブロックと対応する印字データを順次表示する表示手段を有すること。
（ヘ）前記表示手段に表示された印字データ、または前記記憶手段に記憶された印字データをテープに印字する印字手段を有すること。
【請求項２】
前記ブロックは、作成されるテープ毎の印字データの集合であることを特徴とする請求項１記載のテープ印字装置。
【発明の詳細な説明】
【０００１】
【発明の属する技術分野】
本願発明は、テープ印字装置に関し、テープに印字するデータの内容を迅速に確認し、入力ミス等の発見を容易に行うことができるようにしたテープ印字装置に関するものである。
【０００２】
【従来の技術】
従来、各種テープ印字装置が開発されている。これらのテープ印字装置は、キーボードを操作して文字や記号などの印字データを各ブロック毎に入力し、各ブロックの印字データにミスが無いかを表示部で確認した後に、剥離紙付粘着テープ等に印字するようになっている。
図６は、入力された印字データの概念を示している。テープ印字装置の使用例を同図を用いて説明すると、はじめに印字すべき文字・記号等をキーボード等の入力手段によって入力する。当該入力は、印字後に切断されて所定長となるテープ内に印字される文字群を一つのブロックとして当該ブロック毎に行われ、当該ブロックが連続して配列された状態で装置内に記憶される。すなわち、例えばブロック１０１として改ブロックマーク１０２と印字データ「ＡＢＣ」を入力し、ブロック１０３として改ブロックマーク１０４と印字データ「ＤＥＦ」を入力し、ブロック１０５として改ブロックマーク１０６と印字データ「ＧＨＩ」を入力し、ブロック１０７として改ブロックマーク１０８と印字データ「ＪＫＬ」を入力し、ブロック１０９として改ブロックマーク１１０と印字データ「ＭＮＯ」を入力すると、図６に示すようにそれぞれのブロック毎の印字データが作成され記憶される。
【０００３】
ところで、印字データの入力後、印字データの入力に誤りが無いかを確認する必要が生じる。この場合、表示部であるディスプレイ１１１内には入力されたデータが部分的に表示されるので、上記のような連続データの入力内容を確認するには、データの入力位置を示すカーソルを移動させたり、画面をスクロールさせることにより、データの表示を変えて行うようになっている。
図７にその一例を示す。図７（Ａ）は、上記の例で入力した印字データの先頭位置にある「ＡＢＣ」が入力されたブロックを表示した様子を示している。この状態から、例えばカーソルを移動若しくは画面をスクロールさせることにより図７（Ｂ）に示すようにデータの中間位置にある「ＤＥＦ」等のデータを確認することができる。同様の方法で、表示内容をデータの最終である「ＭＮＯ」まで変え（図７（Ｃ））、入力したデータの内容を確認するようになっている。
ここで、ブロックとは、印字データを剥離紙付粘着テープに印字してラベルを作成する際に、それぞれのラベル毎に文字や記号などの印字データや余白部分を設定するものである。
【０００４】
【発明が解決しようとする課題】
しかしながら、上記従来のテープ印字装置では、印字データが大量に入力されている場合には、印字データのはじめから最終位置までカーソルを移動等させて、表示内容を送りながら確認しようとすると相当の時間を要してしまっていた。図８に示す例で説明すると、１００個程度のブロック１２１ａ，１２１ｂ，１２１ｃ，１２１ｄ，１２１ｅ，…１２１ｎ，１２１ｎ＋１を入力等した後に、ブロック１２１ｎの印字データをディスプレイ１１１に表示させて確認したい場合であっても、データの最初の位置から該当する位置までカーソル若しくは所定の操作を行い画面を所定位置までスクロールさせなければならない。
すなわち、データの確認や部分的な修正を行うために、所定の位置に有るデータを表示させる場合であっても逐一画面をスクロール等させなければならず、所定の表示を行わせるために多くの時間を要し、作業効率が悪いという問題点を有していた。
【０００５】
本願発明は、上記問題点に鑑みて案出されたもので、入力されたブロックの数が多い場合であっても、目的のブロックの印字データを迅速に表示させて、内容を確認若しくは修正を可能とすることにより、作業効率のよいテープ印字装置を提供することを目的とする。
【０００６】
【課題を解決するための手段】
本発明が提供する請求項１に係る発明は、上記目的を達成するために、下記の要件を備えたことを特徴とする。すなわち、裏面に粘着部を有し当該粘着部に剥離紙を貼り付けたテープの表面に、所定の文字や記号等を印字するためのテープ印字装置であって、
（イ）印字すべき文字や記号等の印字データを入力する入力手段を有すること。
（ロ）前記入力手段から入力された印字データをブロック毎に、ブロックを示す番号に対応させて記憶する記憶手段を有すること。
（ハ）前記記憶手段に記憶された複数のブロックの内から、前記ブロック番号の指定により複数のブロックを選択する選択手段を有すること。
（ニ）前記選択手段によって選択された複数のブロックの範囲内のブロックと対応する印字データを前記記憶手段から読み取る読取手段を有すること。
（ホ）前記読取手段により読み取られた前記複数のブロックの範囲内のブロックと対応する印字データを順次表示する表示手段を有すること。
（ヘ）前記表示手段に表示された印字データ、または前記記憶手段に記憶された印字データをテープに印字する印字手段を有すること。
【０００８】
本発明が提供する請求項２に係る発明は、下記の要件を備えたことを特徴とする。すなわち、テープ印字装置であって
前記ブロックは、作成されるテープ毎の印字データの集合であることを特徴とする。
【０００９】
【発明の実施の形態】
本願発明に係るテープ印字装置を図面に基づいて説明する。
図１は本発明に係るテープ印字装置の回路ブロック図、図２は本発明に係るテープ印字装置の表面の外観斜視図、図３は本発明に係るテープ印字装置の裏面の外観斜視図、図４は操作部の拡大説明図、図５はテープ印字装置の表示に係る作用を示した説明図である。
【００１０】
本願発明に係るテープ印字装置１は、装置本体３を有し、装置本体３の表面には操作部５とディスプレイ装置７が設けられている。また、装置本体３内にはテープカセット９と、インクリボン１１が収納され、この収納部にはカセットカバー１３が開閉可能に設けられている。また、装置本体３にはテープカセット９から繰り出されたテープの通路となる凹部状のテープ通路１５が形成され、この繰り出されたテープは、ハサミボタン１７を操作することにより切り取ることができるようになっている。
【００１１】
装置本体３の側面には、図示しないＡＣアダプター装置を接続するための差込口１９が設けられている。
装置本体３の裏面には、電池を収納するための収納部が設けられ、この電池収納部には電池蓋２１が着脱自在に設けられている。また、電池収納部の近傍にはメモリカードを収納するためのメモリカード収納部が形成され、このメモリカード収納部にはメモリカードカバー２３が着脱自在に設けられている。
【００１２】
次に、図１を参照してテープ印字装置１内に組み込まれる回路部の構成を説明する。
制御装置３１は、インターフェース回路３３を介して操作部５と接続されている。制御装置３１は、ＲＯＭ３２と、ＣＰＵ３４と、ＲＡＭ３６を有する。
また、制御装置３１には、メモリカード３５が着脱自在に接続される。制御装置３１は、インターフェース回路３７を介して各回路部が接続される。すなわち、インターフェース回路３７にはディスプレイドライブ回路３９を介してディスプレイ装置７が接続され、モータドライブ回路４１を介してモータ４３が接続され、ヘッドドライブ回路４５を介してサーマルヘッド４７が接続され、カッタドライブ回路４９を介してテープカッタ５１が接続されている。
【００１３】
操作部５は、文字、数字、記号などの印字データをブロック毎に入力する入力手段と、複数のブロックの内、任意の１又は複数のブロックを選択する選択手段を有する。
ＲＯＭ３２には入力された文字のフォントを全てのブロック、又はそれぞれのブロック毎に設定するためのプログラム、文字の大きさ、間隔、左右のマージン等の書式を全てのブロック、又はそれぞれのブロック毎に設定するためのプログラム、漢字変換プログラム、表示制御に関するプログラム、モータ駆動に関する制御プログラム、印刷に関する制御プログラム、テープカッタに関する制御プログラム等の各種プログラムが記憶されている。また、ＲＯＭ３２は複数のブロックの中から選択された任意の１又は複数のブロックと対応する印字データをディスプレイ装置７に表示させるためのプログラムを記憶している。また、ＲＯＭ３２には標準の文字フォントに関するデータが記憶されている。
【００１４】
ＣＰＵ３４は、ＲＯＭ３２、ＲＡＭ３６、メモリカード３５に記憶されたプログラムや各種データに基づいて各種制御処理を実行する。また、ＣＰＵ３４は、操作部５によって選択された任意の１又は複数のブロックと対応する印字データをＲＯＭ３２から読み取る読取手段である。そして、ＣＰＵ３４は、複数のブロックの中から前記読み取った任意の１又は複数のブロックと対応する印字データをディスプレイ装置７に表示させるための制御を行う。
ＲＡＭ３６は、図示しない電池によってバックアップされ、入力された印字データなどを記憶する。すなわち、ＲＡＭ３６は前記入力手段から入力されたブロック毎の印字データをそれぞれのブロック毎に対応付けて記憶する記憶手段である。例えば、操作部５を操作する際に、改ブロックマークを入力する毎にブロックＮｏ．がカウントアップされ、このブロックＮｏ．が順次ＲＡＭ３６に記憶されると共に、それぞれのブロックＮｏ．と対応する印字データが順次ＲＡＭ３６に記憶される。
【００１５】
尚、ＲＡＭ３６の代わりにＥＥＰＲＯＭ等の適宜の不揮発性のメモリを用いて構成することができる。
メモリカード３５は、複数種類用意されており、それぞれのメモリカード３５にはオプションとなる特定の文字フォントに関するデータや特殊な絵文字等が記憶されている。したがって、メモリカード３５を交換することにより、各種フォントの文字を作成してテープに印字することができる。
【００１６】
ディスプレイドライブ回路３９は、ＣＰＵ３４の制御にしたがってディスプレイ装置７を駆動するものである。ディスプレイ装置７は、複数のブロックの内、操作部５によって選択された任意の１又は複数のブロックと対応する印字データを表示する表示手段である。ここで、ディスプレイ装置７には、予め設定された文字フォントにより、テープに印字された状態のイメージが表示される。
モータドライブ回路４１は、ＣＰＵ３４の制御にしたがってモータ４３を駆動し、テープの繰り出しなどが行われる。
ヘッドドライブ回路４５は、ＣＰＵ３４の制御にしたがってサーマルヘッド４７を駆動するものである。サーマルヘッド４７は、ディスプレイ装置７に表示された印字データ、または前記ＲＡＭ３６に記憶された印字データをテープに印字する印字手段である。
カッタドライブ回路４９は、ＣＰＵ３４の制御にしたがってテープカッタ５１を駆動するものである。このテープカッタ５１は、剥離紙付粘着テープの剥離紙を切断することなく、粘着テープのみを切断することができる。
【００１７】
操作部５は、図４に拡大して示すように複数のキーを有する。キー６１は電源オンオフ用のキースイッチであり、キー６３は入力した文字の英数字、ひらがな、カタカナを切り換えるためのキースイッチであり、キー６５は促音を入力するためのキースイッチであり、キー６７は各種機能を設定するためのキースイッチであり、キー６９は入力した印字データをテープに印刷するためのキースイッチである。
キー群７１には複数の文字キーなどが配置されている。このキー群７１を操作することにより印字データを入力することができる。
キー群７３には複数のキースイッチが設けられ、前述のキー６７とキー群７３のいずれかのキースイッチと組み合わせて操作することにより、実際に印刷される内容を表示させる等の各種機能を設定することができる。
キー７５は、改ブロックマークを入力するためのキースイッチであり、キー７７は変換した漢字などを確定するためのキースイッチであり、キー７９は漢字の熟語変換を行うためのキースイッチであり、キー８１は、カーソルの移動や変換するひらがなの範囲の選択等に用いられるキースイッチであり、キー８３は、入力した文字を１文字づつ消去するためのキースイッチであり、キー８５は、変換した漢字をひらがなに戻すためのキースイッチである。
【００１８】
次に、作用を説明する。
まず、操作部５を操作して印字データを入力する。例えば、従来例として説明した図６のように、ブロックＮｏ．１には改ブロックマークと印字データ「ＡＢＣ」を入力し、ブロックＮｏ．２には改ブロックマークと印字データ「ＤＥＦ」を入力し、ブロックＮｏ．３には改ブロックマークと印字データ「ＧＨＩ」を入力し、ブロックＮｏ．４には改ブロックマークと印字データ「ＪＫＬ」を入力し、ブロックＮｏ．５には改ブロックマークと印字データ「ＭＮＯ」を入力し、それぞれブロック毎の印字データを作成する。
また、前記入力の際、操作部５の操作等により改ブロックマークを入力すると、改ブロックマークの入力毎にブロックＮｏ．がカウントアップされながら順次ＲＡＭ３６に記憶されると共に、それぞれのブロックＮｏ．と対応する印字データが順次ＲＡＭ３６に記憶される。すなわち上記の例では、ＲＡＭ３６に対して、ブロックＮｏ．１に対応して印字データ「ＡＢＣ」が記憶され、ブロックＮｏ．２に対応して印字データ「ＤＥＦ」が記憶され、ブロックＮｏ．３に対応して印字データ「ＧＨＩ」が記憶され、ブロックＮｏ．４に対応して印字データ「ＪＫＬ」が記憶され、ブロックＮｏ．５に対応して印字データ「ＭＮＯ」が記憶される。
【００１９】
次に、入力した印字データに入力ミスが無いか否かを確認するために、所望のブロックの印字データをディスプレイ装置７に表示させる場合を説明する。
まず、例えば機能キー６７と、キー群７１のアルファベット「Ｐ」の文字キーを操作する。これにより、印字データをディスプレイ装置７に表示させるための命令が入力され、この時点でカーソルが存在するブロックの印字データのみがディスプレイ装置７に表示される。
そして、複数のブロックの内、例えば、ブロックＮｏ．５の印字データを確認したい場合は、操作部５を操作してブロックＮｏ．を入力する。
例えば、機能キー６７と、キー群７１の数字「５」の文字キーを操作する。これにより、ブロックＮｏ．５が選択され、図５に示すように選択されたブロックＮｏ．５の印字データ「ＭＮＯ」がＲＡＭ３６から読み出されて、迅速にディスプレイ装置７に表示される。
上記操作により、操作者は、ディスプレイ装置７に表示された印字データ「ＭＮＯ」を視認することにより、印字データが正確に入力されたことを容易、且つ迅速に確認することができ、データの入力内容の確認や部分修正等を短時間に行うことが出来る。
【００２０】
尚、ディスプレイ装置７に表示される入力された印字データは、選択若しくは設定により種々の態様で表示させることができる。
すなわち、通常はディスプレイ装置７に表示される文字や記号は予め定められた数のみ表示されるようになっているが、テープに印字されるイメージで一ブロック毎に送りながら表示させたり、任意の数ブロック毎に送りながら表示させることができる。また、後述する実施例のようにいくつかの表示モードがある。
【００２１】
以上説明した操作等により入力された印字データは、印刷キー６９を操作することにより、ＣＰＵ３４の制御にしたがってヘッドドライブ回路４５がサーマルヘッド４７が駆動され、印字データをテープに印字するようになっている。
【００２２】
【実施例】
ディスプレイ装置７による印字データの表示態様に関し、いくつかの具体的な例を説明する。
本実施例は、印字データをディスプレイ装置７に表示させる場合に、全体表示モードと、範囲表示モードと、個別表示モードとを有し、適宜の表示モードに切り換えて印字データをディスプレイ装置７に表示させるようにしたことを特徴とするものである。
［全体表示モード］
例えば、機能キー６７と、キー群７１の「Ｐ」、「１」の文字キーを操作すると、全体表示モードに設定され、入力した全てのブロックの印字データをディスプレイ装置７に表示させることができる。ここで、例えば、機能キー６７と、キー群７１の数字「９」、「９」の文字キーを操作すると、ブロックＮｏ．９９が選択されて、ディスプレイ装置７に表示される印字データの内、ブロックＮｏ．９９に対応する部分にマーカが表示される。この場合、ブロックＮｏ．９９の印字データのみを予め設定されたフォントで表示すると共に、他のブロックの印字データを異なるフォントで表示させるように構成してもよい。
【００２３】
［範囲表示モード］
また、例えば、機能キー６７と、キー群７１の「Ｐ」、「２」の文字キーを操作すると、範囲表示モードに設定され、任意の範囲のブロックの印字データをＲＡＭ３６から読み出してディスプレイ装置７に表示させることができる。
ここで、例えば、機能キー６７と、キー群７１の数字「９」、「１」の文字キーを操作し、続いて機能キー６７と、キー群７１の数字「９」、「９」の文字キーを操作すると、Ｎｏ．９１からＮｏ．９９までのブロックが選択されて、Ｎｏ．９１からＮｏ．９９までのブロックの各印字データが順次ディスプレイ装置７に表示される。この場合、Ｎｏ．９１からＮｏ．９９までのブロックの各印字データを自動的に順次表示させるように構成することができる。また、手動操作によりカーソルをＮｏ．９１からＮｏ．９９までのブロックの範囲内で移動させることにより、Ｎｏ．９１からＮｏ．９９までの対応するブロックの印字データを順次表示させるように構成することができる。
このモードは、既存の印字データが入力されている状態で部分的にデータ変更して印字する場合等に、変更箇所のみを迅速に確認することができるという効果を有している。
【００２４】
［個別表示モード］
また、機能キー６７と、キー群７１の「Ｐ」、「３」の文字キーを操作すると、個別表示モードに設定され、その時点でカーソルが存在する１のブロック、例えばカーソルが位置するブロックＮｏ．９９の印字データのみをディスプレイ装置７に表示させることができる。
ここで、例えば、機能キー６７と、キー群７１の数字「５」、「１」の文字キーを操作することにより、カーソルが瞬時にブロックＮｏ．５１に移動して、ブロックＮｏ．５１の印字データのみをディスプレイ装置７に表示させることができる。
【００２５】
【発明の効果】
以上説明した本願発明に係るテープ印字装置は、以下に述べる効果を有している。
従来のテープ印字装置では、印字データがテープに印字される順序に従って記憶され送り表示するようになっていたが、本願発明のテープ印字装置では印字データの表示を、先頭位置のデータから行う必要はなく、使用者の意志によって任意の位置について行うことが出来るようになっている。
従って、一度に多量の印字テープを作成する場合に、入力した印字データの確認作業を効率よく行うことが出来るようになっている。特に、既に入力し記憶されている既存の印字データがあり、その一部のデータのみを書き換えて使用するような場合、印字データの確認は修正した部分のみについて行えばよいので、この場合にいちいち最初の印字データを送り表示させながら目的の部位を表示させる必要が無く、時間の無駄をなくすことが出来るという効果を有している。
【００２６】
また、本願発明は上記効果に加えて以下の効果を有している。すなわち、印字データの確認が、長尺のテープから切り出されて単独のテープとなる、一枚の印字テープ毎の印字データ単位（ブロック）で行うことができるので、作成されるテープのイメージを確認しながらデータの確認をすることができるという効果を有している。
【図面の簡単な説明】
【図１】本発明に係るテープ印字装置の回路ブロック図である。
【図２】本発明に係るテープ印字装置の表面の外観斜視図である。
【図３】本発明に係るテープ印字装置の裏面の外観斜視図である。
【図４】操作部の拡大説明図である。
【図５】テープ印字装置の表示に係る作用を示した説明図である。
【図６】ブロック毎に入力される印字データを示した説明図である。
【図７】従来例の印字データの表示を示した説明図である。
【図８】他の従来例の印字データの表示を示した説明図である。
【符号の説明】
１  テープ印字装置
３  装置本体
５  操作部
７  ディスプレイ装置
９  テープカセット
１１  インクリボン
３１  制御装置
３２  ＲＯＭ
３３  インターフェース回路
３４  ＣＰＵ
３５  メモリカード
３６  ＲＡＭ
３９  ディスプレイドライブ回路
４１  モータドライブ回路
４３  モータ
４５  ヘッドドライブ回路
４７  サーマルヘッド
４９  カッタドライブ回路
５１  テープカッタ
【図１】
0003831938.tif 000002
【図２】
0003831938.tif 000003
【図３】
0003831938.tif 000004
【図４】
0003831938.tif 000005
【図５】
0003831938.tif 000006
【図６】
0003831938.tif 000007
【図７】
0003831938.tif 000008
【図８】
0003831938.tif 000009